(57)【特許請求の範囲】
【請求項１】
撮影装置本体に対して突出／収納動作が可能であり、突出状態においてズーム動作が可能なレンズ装置であって、
それぞれレンズを保持する第１のレンズ保持部材、第２のレンズ保持部材および第３のレンズ保持部材と、
前記第１のレンズ保持部材に設けられた第１のカムフォロア、前記第２のレンズ保持部材に設けられた第２のカムフォロアおよび前記第３のレンズ保持部材に設けられた第３のカムフォロアがそれぞれ係合する第１のカム溝部、第２のカム溝部および第３のカム溝部が内周面に形成され、前記突出／収納動作および前記ズーム動作において光軸回りで回転することで前記第１、第２および第３のレンズ保持部材を光軸方向に移動させるカム環とを有し、
前記カム環は、
前記第１および第２のカムフォロアを前記カム環の光軸方向端面に形成された挿入口から前記第２のカム溝部に導入し、かつ前記第３のカムフォロアを前記挿入口から前記第３のカム溝部に導入するための導入溝部と、
前記第１のカム溝部と前記第２のカム溝部とを接続し、前記導入溝部から前記第２のカム溝部に導入された前記第１のカムフォロアを該第２のカム溝部から前記第１のカム溝部に導入するための接続溝部と、
前記カム環の周方向において前記第１のカム溝部における前記接続溝部側とは反対側に接続され、前記突出／収納動作および前記ズーム動作において前記第１のカムフォロアは係合せず、前記第２のカムフォロアを前記導入溝部から前記第２のカム溝部に導入するときに前記第１のカムフォロアが導入される延長溝部とを有し、
前記導入溝部は、前記挿入口から光軸方向に延び、前記光軸方向に延びた後に前記カム環の周方向における第１の方向に延び、前記第１の方向に延びた後に前記第１の方向とは反対の第２の方向に延びるように形成されており、
前記第３のカム溝部は、前記挿入口と前記第２のカム溝部をつなぐ前記導入溝部が前記光軸方向に延びた後であって前記第１の方向に延びるところから分岐し、前記第２の方向に延びるように形成されていることを特徴とするレンズ装置。
【請求項２】
前記延長溝部は、前記第１のカム溝部から前記第１の方向に、少なくとも前記導入溝部における前記第１の方向での端位置と同じ位置まで延びるように形成されていることを特徴とする請求項１に記載のレンズ装置。
【請求項３】
請求項１又は２に記載のレンズ装置と、
該レンズ装置により形成された被写体像を撮影する撮影装置本体とを有することを特徴とする撮影装置。
【発明の詳細な説明】
【技術分野】
【０００１】
本発明は、コンパクトデジタルカメラ等の撮影装置に用いられ、撮影装置本体に対して突出／収納動作が可能なレンズ装置に関し、さらに詳しくは、複数のレンズ保持部材をカム環に形成された複数のカム溝部によって移動させるレンズ装置に関する。
【背景技術】
【０００２】
上記のようなレンズ装置として、特許文献１にて開示されたズームレンズ鏡筒がある。このズームレンズ鏡筒は、カム環へのレンズ保持部材の組み付けを容易とするために以下のように構成されている。
【０００３】
ズームレンズ鏡筒は、第１および第２のレンズ保持部材と、これら第１および第２のレンズ保持部材に設けられたカムフォロアが係合する第１および第２のカム溝部が内周面に形成されたカム環とを有する。カム環には、その光軸方向端面に設けられた第１の挿入口から第１のカム溝部に第１のレンズ保持部材のカムフォロアを導く第１の導入溝部が形成されている。さらに、カム環には、上記端面に設けられた第２の挿入口から第２のカム溝部に第２のレンズ保持部材のカムフォロアを導く第２の導入溝部が形成されている。
【０００４】
該ズームレンズ鏡筒を組み立てる際には、まず、第１のレンズ保持部材のカムフォロアを第１の挿入口および第１の導入溝部を通して第１のカム溝部に導入する。その後、カム環を回転させ、次に第２のレンズ保持部材のカムフォロアを第２の挿入口および第２の導入溝部を通して第２のカム溝部に導入する。このような組み立てを可能とするために、第１のカム溝部の終端部と第２の挿入口とは、カム環の周方向における同一位置に形成されている。
【先行技術文献】
【特許文献】
【０００５】
【特許文献１】特許第３５６９４７８号公報
【発明の概要】
【発明が解決しようとする課題】
【０００６】
上述したように特許文献１には、２つのレンズ保持部材をカム環に形成された２つのカム溝部（ただし、それぞれのカム溝部はカム環の周方向に複数形成されている）に対して容易に組み付けるための構成が開示されている。
【０００７】
しかしながら、カム環に３つのレンズ保持部材を移動させるために３つのカム溝部を形成する場合には、各レンズ保持部材に設けられたカムフォロアを各挿入口から各カム溝部まで導く導入溝部も３つ必要となる。このため、特許文献１にて開示されたような構成では、スペースが限られたカム環の内周面に効率良く３つのカム溝部を配置することが困難である。
【０００８】
本発明は、カム環に３つのレンズ保持部材を移動させるための３つのカム溝部を効率良く形成することができるとともに該３つのレンズ保持部材の組み込みを容易にしたレンズ装置およびこれを備えた撮影装置を提供する。
【課題を解決するための手段】
【０００９】
本発明の一側面としてのレンズ装置は、撮影装置本体に対して突出／収納動作が可能であり、突出状態においてズーム動作が可能なレンズ装置であって、それぞれレンズを保持する第１のレンズ保持部材、第２のレンズ保持部材および第３のレンズ保持部材と、前記第１のレンズ保持部材に設けられた第１のカムフォロア、前記第２のレンズ保持部材に設けられた第２のカムフォロアおよび前記第３のレンズ保持部材に設けられた第３のカムフォロアがそれぞれ係合する第１のカム溝部、第２のカム溝部および第３のカム溝部が内周面に形成され、前記突出／収納動作および前記ズーム動作において光軸回りで回転することで前記第１、第２および第３のレンズ保持部材を光軸方向に移動させるカム環とを有し、前記カム環は、前記第１および第２のカムフォロアを前記カム環の光軸方向端面に形成された挿入口から前記第２のカム溝部に導入し、かつ前記第３のカムフォロアを前記挿入口から前記第３のカム溝部に導入するための導入溝部と、前記第１のカム溝部と前記第２のカム溝部とを接続し、前記導入溝部から前記第２のカム溝部に導入された前記第１のカムフォロアを該第２のカム溝部から前記第１のカム溝部に導入するための接続溝部と、前記カム環の周方向において前記第１のカム溝部における前記接続溝部側とは反対側に接続され、前記突出／収納動作および前記ズーム動作において前記第１のカムフォロアは係合せず、前記第２のカムフォロアを前記導入溝部から前記第２のカム溝部に導入するときに前記第１のカムフォロアが導入される延長溝部とを有し、前記導入溝部は、前記挿入口から光軸方向に延び、前記光軸方向に延びた後に前記カム環の周方向における第１の方向に延び、前記第１の方向に延びた後に前記第１の方向とは反対の第２の方向に延びるように形成されており、前記第３のカム溝部は、前記挿入口と前記第２のカム溝部をつなぐ前記導入溝部が前記光軸方向に延びた後であって前記第１の方向に延びるところから分岐し、前記第２の方向に延びるように形成されていることを特徴とする。
【００１０】
なお、上記レンズ装置と、該レンズ装置により形成された被写体像を撮影する撮影装置本体とを有する撮影装置も本発明の他の一側面を構成する。
【発明の効果】
【００１１】
本発明によれば、カム環に３つのレンズ保持部材を移動させるための３つのカム溝部を効率良く形成することができるとともに該３つのレンズ保持部材の組み込みを容易にしたレンズ装置およびこれを備えた撮影装置を提供できる。
【図面の簡単な説明】
【００１２】
【図１】本発明の実施例であるレンズ鏡筒の分解斜視図。
【図２】実施例のレンズ鏡筒の収納状態での断面図。
【図３】実施例のレンズ鏡筒の広角（ＷＩＤＥ）端状態での断面図。
【図４】実施例のレンズ鏡筒の望遠（ＴＥＬＥ）端状態での断面図。
【図５】実施例のレンズ鏡筒のＴＥＬＥ端での第１鏡筒および第２鏡筒の斜視図。
【図６】実施例のレンズ鏡筒のＷＩＤＥ端での第２鏡筒およびシフトユニットの斜視図。
【図７】実施例のレンズ鏡筒に用いられた移動カム環の展開図。
【図８】実施例のレンズ鏡筒に用いられた移動カム環と案内筒の斜視図。
【図９】実施例のレンズ鏡筒に用いられた固定カム環の展開図。
【図１０】実施例のレンズ鏡筒に用いられた案内筒による第１鏡筒と第２鏡筒の支持構造を示す図。
【図１１】実施例のレンズ鏡筒の収納状態での第１鏡筒およびシフトユニットを示す斜視図。
【図１２】実施例のレンズ鏡筒における第１鏡筒およびシフトユニットを示す正面図。
【発明を実施するための形態】
【００１３】
以下、本発明の実施例について図面を参照しながら説明する。
【００１４】
図１には、本発明の実施例であるカメラ（撮影装置）に備えられたレンズ鏡筒（レンズ装置）を分解して示している。本実施例のレンズ鏡筒は、図２および図３に示すカメラ本体（撮影装置本体）１００に備えられ、カメラ本体１００に対して突出した突出状態とカメラ本体１００に対して収納された収納状態（沈胴状態）との間で突出／収納動作を行う。また、レンズ鏡筒は、突出状態においてズーム動作を行う。カメラ本体１００には、レンズ鏡筒により形成された被写体像を後述する撮像素子によって光電変換し、該被写体の画像データを生成するための電子回路が搭載されている。
【００１５】
図２、図３および図４にはそれぞれ、該レンズ鏡筒の収納状態、広角（ＷＩＤＥ）端状態および望遠（ＴＥＬＥ）端状態での断面構成を示している。さらに、図５〜図１２にも、本実施例のレンズ鏡筒の構成を部分的に示している。
【００１６】
これらの図において、Ｌ１は第１レンズユニット、Ｌ２は第２レンズユニット、Ｌ３は光軸に直交する平面内で移動して像振れ補正（防振）動作を行う第３レンズユニット、Ｌ４は光軸方向に移動して焦点調節動作を行う第４レンズユニットである。
【００１７】
１は第１レンズユニットＬ１が保持された第１のレンズ保持部材としての第１鏡筒、２は第２レンズユニットＬ２を保持する第２のレンズ保持部材としての第２鏡筒である。３は第３レンズユニットＬ３を光軸に直交する平面内で移動（シフト）可能に保持する第３のレンズ保持部材としてのシフトユニットである。４は第４レンズユニットＬ４を保持する第４レンズ保持枠であり、５は光量を調節する絞り／シャッタユニットである。
【００１８】
６はシフトユニット３の後端部に圧入や接着等により固定された円錐形状の第３のカムフォロアとしてのシフトユニットカムピンである。シフトユニットカムピン６は、シフトユニット３の周方向に３つ設けられている。
【００１９】
８および９はそれぞれ、第４レンズ保持枠４の光軸方向への移動をガイドするガイドバーである。１１はガイドバー８，９の後端部を位置決め固定し、さらにＣＣＤセンサやＣＭＯＳセンサ等の撮像素子（図示せず）を保持する撮像素子ホルダである。１２はガイドバー８，９の前端部を位置決め固定する後部鏡筒であり、撮像素子ホルダ１１に対してビスにより結合されている。
【００２０】
１６は第４レンズ保持枠４を光軸方向に移動させる駆動源となるフォーカスモータである。フォーカスモータ１６の出力軸はリードスクリュー１６ａとして形成されており、該リードスクリュー１６ａには、第４レンズ保持枠４に取り付けられたラック１７が螺合している。フォーカスモータ１６によってリードスクリュー１６ａが回転されると、ラック１７を介して第４レンズ保持枠４が光軸方向に駆動される。フォーカスモータ１６は、後部鏡筒１２にビスにより固定されている。
【００２１】
１８は第４レンズ保持枠４とラック１７との間のガタを除去するためのラックバネである。３５は第４レンズ保持枠４の初期位置を検出するフォトインタラプタであり、第４レンズ保持枠４に形成された遮光部がフォトインタラプタ３５の発光部と受光部との間に入り込むことで、初期位置を検出する。
【００２２】
１３は固定カム環であり、その内周面には、図９に示すように、移動カム環７を光軸方向に移動させるための３本のカム溝部１３ａが形成されている。また、固定カム環１３の内周面には、直進案内環としての案内筒１０に設けられたキー１０ｈと係合して、案内筒１０の光軸に対する偏心位置決めおよび直進案内を行う３本の案内溝部１３ｂも形成されている。固定カム環１３は、撮像素子ホルダ１１にビスにより固定されている。
【００２３】
７は移動カム環であり、その内周面には、図７に示すように、第１鏡筒１、第２鏡筒２およびシフトユニット３をそれぞれ光軸方向に移動させるための第１のカム溝部７ａ、第２のカム溝部７ｂおよび第３のカム溝部７ｃが３本ずつ形成されている。これら第１〜第３のカム溝部７ａ〜７ｃは、互いに異なるカム形状（カム軌跡）を有する。移動カム環７は、案内筒１０に対して、不図示のバヨネット構造により光軸方向への移動が阻止された状態にて光軸回りで回転可能に結合されている。このため、移動カム環７は、光軸回りで回転しながら案内筒１０と一体的に固定カム環１３に対して光軸方向に移動する。
【００２４】
１４は円筒ギヤであり、光軸方向に移動可能な移動カム環７に形成されたギヤ部と常時螺合できるように光軸方向に長く形成されている。円筒ギヤ１４は、固定カム環１３と撮像素子ホルダ１１とによって挟み込まれたギヤシャフト１５を軸として定位置回転を行う。
【００２５】
２８はズームモータユニットであり、撮像素子ホルダ１１にビスによって固定されている。ズームモータユニット２８に設けられた不図示の出力ギヤは、円筒ギヤ１４に螺合している。これにより、円筒ギヤ１４を介してズームモータユニット２８からの回転力を移動カム環７に伝達し、これを回転させることができる。
【００２６】
３６は第２鏡筒２の初期位置を検出するフォトインタラプタであり、図５に示すように第２鏡筒２に形成された遮光部２ａがフォトインタラプタ３６の発光部と受光部との間に入り込むことで、初期位置を検出する。
【００２７】
固定カム環１３に３本設けられたカム溝部１３ａには、移動カム環７に周方向に３つ設けられたカムピン２７が係合している。移動カム環７に３本設けられた第１のカム溝部７ａには、第１鏡筒１に周方向に３つ設けられた第１のカムフォロアとしての第１カムピン２５が係合している。また、３本の第２のカム溝部７ｂには、第２鏡筒２に周方向に３つ設けられた第２のカムフォロアとしての第２カムピン２６が係合している。さらに、３本の第３のカム溝部７ｃには、シフトユニット３に周方向に３つ設けられたシフトユニットカムピン６が係合している。移動カム環７が光軸回りで回転しながら光軸方向に移動することで、第１鏡筒１、第２鏡筒２およびシフトユニット３が光軸方向に移動する。これにより、レンズ鏡筒は、カメラ本体に対して突出／収納動作を行うとともに、ズーム動作を行う。
【００２８】
次に、第１鏡筒１、第２鏡筒２およびシフトユニット３の支持構造について、図１０を用いて説明する。
【００２９】
第１鏡筒１の後端付近に配置された３つの第１カムピン２５は、図８に示すように案内筒１０に周方向にて１２０°間隔で光軸方向に延びるように形成された案内溝部１０ａ，１０ｂ，１０ｃを貫通し、移動カム環７の第１のカム溝部７ａに係合する。
【００３０】
また、第１鏡筒１の後端付近に周方向にて１２０°間隔で３つ形成された案内キー１ｃは、案内溝部１０ａ，１０ｂ，１０ｃに係合して、案内筒１０に対する第１鏡筒１の偏芯位置を決める。さらに第２鏡筒２の後端近傍に周方向にて１２０°間隔で形成された３つの案内キー２ｃは、案内溝部１０ａ，１０ｂ，１０ｃに係合し、案内筒１０に対する第２鏡筒２の偏芯位置を決める。このように、第１鏡筒１と第２鏡筒２は案内筒１０に形成された同じ案内溝部１０ａ，１０ｂ，１０ｃによって位置決めされており、これにより光軸に対する第１鏡筒１と第２鏡筒２の双方の偏心精度を高めている。
【００３１】
シフトユニット３に形成された３つの案内キー３ａは、図８に示すように案内筒１０に周方向にて１２０°間隔で光軸方向に延びるように形成された案内溝部１０ｄ，１０ｆ，１０ｇと係合する。これにより、シフトユニット３の案内筒１０に対する偏心位置が決められる。案内溝部１０ｄ，１０ｆ，１０ｇは、案内溝部１０ａ，１０ｂ，１０ｃに対して位相が６０°異なる位置に形成されている。
【００３２】
３つの第１カムピン２５金属により形成され、第１鏡筒１に圧入又は接着により固定されている。ただし、第１カムピン２５をそれぞれ、第１鏡筒１および第２鏡筒２に一体形成してもよい。
【００３３】
また、３つのシフトユニットカムピン６のうち２つはシフトユニット３と一体形成されている。残りの１つのシフトユニットカムピン６は、図２に示すように、シフトユニット３とは別部材として形成され、コイルスプリング６ａによって第３のカム溝部７ｃに向けて付勢されている。これにより、３つのシフトユニットカムピン６の３本の第３のカム溝部７ｃに対する係合ガタを除去することができる。
【００３４】
また、３つの第２カムピン２６のうち２つは金属らより形成され、第２鏡筒２に圧入又は接着により固定されている。残りの１つの第２カムピン２６は、第２鏡筒２は別部材として形成され、不図示のコイルスプリングによって第２のカム溝部７ｂに向けて付勢されている。これにより、３つの第２カムピン２６の３本の第２のカム溝部７ｂに対する係合ガタを除去することができる。
【００３５】
図５および図２〜図４に示すように、第１鏡筒１の後端付近には、周方向にて１２０°間隔で光軸方向に延びる３本の案内溝部１ａが形成されている。該案内溝部１ａには、第２鏡筒２の前端付近に周方向にて１２０°間隔で形成された３つのキー２ｂが係合している。これにより、第１鏡筒１の光軸位置と第２鏡筒２の光軸位置とを一致させている。
【００３６】
また、第２鏡筒２の内周面にも、周方向にて１２０°間隔で光軸方向に延びる３本の案内溝部２ｄが形成されている。該案内溝部２ｄには、シフトユニット３の前端に周方向にて１２０°間隔で形成されたキー３ｂが係合している。これにより、第２鏡筒２の光軸位置とシフトユニット３の光軸位置とを一致させている。これらのキーと案内溝部との係合によって光軸位置を一致させる構成は、ＷＩＤＥ端からＴＥＬＥ端までの突出状態および収納状態において常に機能している。
【００３７】
以上の構成により、第１鏡筒１、第２鏡筒２およびシフトユニット３は、案内筒１０によって光軸回りでの回転を阻止された状態で、回転する移動カム環７の内周面に形成された第１、第２および第３のカム溝部７ａ，７ｂ，７ｃによって光軸方向に移動される。
【００３８】
図１１には、収納状態における第１鏡筒１、第２鏡筒２およびシフトユニット３を示している。図６に示すＷＩＤＥ端状態から収納動作によって移動カム環７が回転すると、第１および第２鏡筒１，２は、図８に示す案内溝部１０ａ，１０ｂ，１０ｃに沿って光軸方向に移動する。また、シフトユニット３は、案内溝部１０ｄ，１０ｆ，１０ｇに沿って光軸方向に移動する。そして、図１１に示す収納状態に到達すると、シフトユニットカムピン６が第１鏡筒１に形成された案内溝部１ａ内に入り込む。案内溝部１ａには、第２鏡筒２のキー２ｂが常時係合している。このため、案内溝部１ａと第２鏡筒２に設けられたキー２ｂとシフトユニットカムピン６とは周方向にて同一位相に配置されている。
【００３９】
案内溝部１ａは第２鏡筒２のキー２ｂと係合して、第１鏡筒１と第２鏡筒２の相対的な偏心位置決めの機能を果たす。この偏心位置決め機能は、案内溝部１ａの周方向の幅を用いて実現されるものであり、第１鏡筒１を切り欠いて案内溝部１ａを外側から見えるように形成しても該偏心位置決め機能は損なわれない。
【００４０】
また、収納状態であっても案内溝部１ａとキー２ｂとは係合しているが、キー２ｂは案内溝部１ａ内において被写体側に移動しているため、シフトユニットカムピン６が収納状態にて案内溝部１ａ内に入り込んでも、キー２ｂに干渉しない。
【００４１】
図７に示すように、第１鏡筒１に設けられた第１カムピン２５と第２鏡筒２に設けられた第２カムピン２６は、周方向において互いに同一位相の位置に配置されている。一方、図７および図１２に示すように、第１鏡筒１および第２鏡筒２に設けられた第１および第２カムピン２５，２６とシフトユニットカムピン６とは互いに６０°位相がずれた位置に配置されている。これは、図７に示す移動カム環７における第１、第２および第３のカム溝部７ａ，７ｂ，７ｃの配置によるものである。つまり、第１鏡筒１および第２鏡筒２用のカム溝部７ａ，７ｂに対してシフトユニット３用のカム溝部７ｃを異なる位相で配置することが、移動カム環７の内周面の面積を効率良く使用して、移動カム環７の光軸方向長さを抑えるのに有利である。
【００４２】
次に、図７および図９を用いて、移動カム環７の内周面に形成された第１、第２および第３のカム溝部７ａ，７ｂ，７ｃの形状（軌跡）と固定カム環１３の内周面に形成されたカム溝部１３ａの形状について説明する。
【００４３】
図７において、左方向は、ＴＥＬＥ側からＷＩＤＥ側へのズーム動作時および収納動作時における移動カム環７の回転方向（以下、収納回転方向という）である。また、右方向は、突出動作時およびＷＩＤＥ側からＴＥＬＥ側へのズーム動作時における移動カム環７の回転方向（以下、突出回転方向という）である。
【００４４】
まず、図９を用いて固定カム環１３の内周面に形成されたカム溝部１３ａの形状についても説明する。前述したように、移動カム環７における周方向１２０°間隔の３箇所に設けられたカムピン２７は、固定カム環１３のカム溝部１３ａに係合している。移動カム環７は、収納状態から突出回転方向に回転することで、収納位置１３ａ１からＷＩＤＥ端位置１３ａ２を介してＴＥＬＥ端位置１３ａ３に繰り出す。カム溝部１３ａは、収納位置１３ａ１、ＷＩＤＥ端位置１３ａ２およびＴＥＬＥ端位置１３ａ３の付近において平坦（周方向に平行）なカム形状を有する。
【００４５】
図７において、第１鏡筒１における周方向１２０°間隔の３箇所に設けられた第１カムピン２５は、移動カム環７の第１のカム溝部７ａに係合する。第１鏡筒１は、移動カム環７が収納状態から突出回転方向に回転することで、収納位置７ａ１からＷＩＤＥ端位置７ａ２に向かって単調に被写体側に繰り出する。そして、ＷＩＤＥ端位置７ａ２からＴＥＬＥ端位置７ａ３に向かって一旦像面側に繰り込んだ後、ＷＩＤＥ端位置７ａ２よりも被写体側に繰り出してＴＥＬＥ端位置７ａ３に到達する。このとき、移動カム環７自体も固定カム環１３に対して繰り出すため、第１鏡筒１は、カム溝部１３ａによる移動カム環７の移動量と第１のカム溝部７ａによる第１鏡筒１の移動量との合成移動量に応じた位置に移動する。
【００４６】
第１のカム溝部７ａの区間７ｇは、第１鏡筒１を収納位置７ａ１とＷＩＤＥ端位置７ａ２との間で移動させる収納領域を示し、区間７ｆは、第１鏡筒１をＷＩＤＥ端位置７ａ２とＴＥＬＥ端位置７ａ３との間で移動させるズーム領域を示している。第１のカム溝部７ａは、収納位置７ａ１、ＷＩＤＥ端位置７ａ２およびＴＥＬＥ端位置７ａ３の付近において平坦なカム形状を有する。
【００４７】
第１のカム溝部７ａのＴＥＬＥ側端部には、区間７ｆよりもさらにＴＥＬＥ方向の区間７ｅにてほぼ平坦に延びるように形成された延長溝部７ａ４が接続されている。この延長溝部７ａ４は、移動カム環７に対して第１鏡筒１を組み込んだ後に第２鏡筒２を組み込む際に、第１カムピン２５を導入する（逃がす）ために形成された溝部である。つまり、延長溝部７ａ４には、レンズ鏡筒の組立に際しては第１カムピン２５が導入されるが、ズーム動作や突出／収納動作において第１カムピン２５が係合することはない。
【００４８】
また、第１のカム溝部７ａの収納側端部よりもさらに収納回転方向の区間７ｈには、該第１のカム溝部７ａの収納側端部と第２のカム溝部７ｂの収納側端部とを接続する接続溝部７ａ５が形成されている。なお、上述した延長溝部７ａ４は、周方向において第１のカム溝部７ａにおける該接続溝部７ａの側（接続溝部側）とは反対側に接続された溝部である。接続溝部７ａ５は、後述する導入溝部から第２のカム溝部７ｂに導入された第１カムピン２５を該第２のカム溝部７ｂから第１のカム溝部７ａに導入するために形成された溝部である。この接続溝部７ａ５には、レンズ鏡筒の組立に際して第１カムピン２５が導入される（通過する）が、ズーム動作や突出／収納動作において第１カムピン２５および第２鏡筒２の第２カムピン２６が係合することはない。
【００４９】
第２鏡筒２における周方向１２０°間隔の３箇所に設けられた第２カムピン２６は、移動カム環７の第２のカム溝部７ａに係合する。第２鏡筒２は、移動カム環７が収納状態から突出回転方向に回転することで、収納位置７ｂ１からＷＩＤＥ端位置７ｂ２に向かって単調に繰り出し、ＷＩＤＥ端位置７ｂ２からＴＥＬＥ端位置７ｂ３に向かって単調に繰り込む。このとき、移動カム環７自体も固定カム環１３に対して繰り出すため、第２鏡筒２は、カム溝部１３ａによる移動カム環７の移動量と第２のカム溝部７ｂによる第２鏡筒２の移動量との合成移動量に応じた位置に移動する。
【００５０】
第２のカム溝部７ｂの区間７ｇは、第２鏡筒２を収納位置７ｂ１とＷＩＤＥ端位置７ｂ２との間で移動させる収納領域を示し、区間７ｆは、第２鏡筒１をＷＩＤＥ端位置７ｂ２とＴＥＬＥ端位置７ｂ３との間で移動させるズーム領域を示している。第２のカム溝部７ｂは、収納位置７ｂ１、ＷＩＤＥ端位置７ｂ２およびＴＥＬＥ端位置７ｂ３の付近において平坦なカム形状を有する。
【００５１】
第２のカム溝部７ｂのＴＥＬＥ側端部よりもさらに収納回転方向の区間７ｉには、該第２のカム溝部７ｂのＴＥＬＥ側端部に接続された導入溝部７ｂ４が形成されている。導入溝部７ｂ４は、移動カム環７の光軸方向端面（図７中の下端面）にて開口した挿入口７ｄから第１および第２カムピン２５，２６（第１および第２鏡筒１，２）をこの順で第２のカム溝部７ｂに導入するために形成されている。
【００５２】
シフトユニット３における周方向１２０°間隔の３箇所に設けられたシフトユニットカムピン６は、移動カム環７の第３のカム溝部７ｃに係合する。シフトユニット３は、移動カム環７が収納状態から突出回転方向に回転することで、収納位置７ｃ１からＷＩＤＥ端位置７ｃ２に繰り込む。そして、ＷＩＤＥ端位置７ｃ２からＴＥＬＥ端位置７ｃ３に向かってさらに一旦繰り込んだ後、ＷＩＤＥ端位置７ｃ２よりも繰り出してＴＥＬＥ端位置７ｃ３に到達する。このとき、移動カム環７自体も固定カム環１３に対して繰り出すため、シフトユニット３は、カム溝部１３ａによる移動カム環７の移動量と第３のカム溝部７ｃによるシフトユニット３の移動量との合成移動量に応じた位置に移動する。
【００５３】
第３のカム溝部７ｃのＴＥＬＥ側端部は、前述した挿入口７ｄと第２のカム溝部７ｂとをつなぐ導入溝部７ｂ４の途中位置７ｍに接続されている。つまり、第３のカム溝部７ｃは、導入溝部７ｂ４の途中から分岐するように形成されている。そして、シフトユニットカムピン６は、挿入口７ｄから導入溝部７ｂ４の途中位置７ｍまで導入された後、第３のカム溝部７ｃに導入される。
【００５４】
次に、移動カム環７に対する第１鏡筒１、第２鏡筒２およびシフトユニット３の組み込み手順について説明する。
【００５５】
まず、第１鏡筒１に設けられた第１カムピン２５を、挿入口７ｄから導入溝部７ｂ４に導入し、第２のカム溝部７ｂおよび接続溝部７ａ５を通過させて第１のカム溝部７ａに導入する。次に、第２鏡筒に設けられた第２カムピン２６を、挿入口７ｄから導入溝部７ｂ４に導入する。このとき、第１カムピン２５と第２カムピン２６はともに案内筒１０における同じ案内溝部１０ａ，１０ｂ，１０ｃにも導入されるので、第１カムピン２５を挿入口７ｄと同じ位相に位置させる必要がある。このため、第１カムピン２５を第１のカム溝部７ａから延長溝部７ａ４に導入する。この後、第２カムピン２６を、導入溝部７ｂ４から第２のカム溝部７ｂに導入する。第２カムピン２６は、第１カムピン２５と同じ位相に配置される。
【００５６】
次にシフトユニット３に設けられたシフトユニットカムピン６を、挿入口７ｄから導入溝部７ｂ４に導入する。このとき、シフトユニットカムピン６は、案内筒１０における案内溝部１０ａ，１０ｂ，１０ｃとは異なる位相に形成された案内溝部１０ｄ，１０ｆ，１０ｇにも導入される。その後、シフトユニットカムピン６は、導入溝部７ｂ４の途中の分岐位置７ｍから第３のカム溝部７ｃに導入される。
【００５７】
このとき、導入溝部７ｂ４は分岐位置７ｍにて移動カム環７の収納回転方向（第１の方向）に９０°折れ曲がり、第３のカム溝部７ｃは分岐位置７ｍから収納回転方向とは反対側の突出回転方向（第２の方向）に延びるように形成されている。このため、シフトユニットカムピン６を分岐位置７ｍにおけるカムピン導入方向の端面に突き当てて第３のカム溝部７ｃに導入すればよく、シフトユニット３の移動カム環７への導入を行い易い。
【００５８】
そして、導入溝部７ｂ４のうち分岐位置７ｍから第２のカム溝部７ｂにつながる部分は、分岐位置７ｍから収納回転方向に延びた後、突出回転方向に折り返すように延びて第２のカム溝部７ｂに到達する。このため、第２鏡筒２の組み込みに際して第２カムピン２６と第１カムピン２５とを同じ位相に配置することができるように、延長溝部７ａ４を、収納回転方向において、導入溝部７ｂ４の端位置と同じ位相までは少なくとも延びるように形成している。
【００５９】
このように本実施例では、限られた面積（スペース）しか持たない移動カム環７の内周面に第１〜第３のカム溝部７ａ〜７ｃを効率良く形成することができる。しかも、延長溝部７ａ４、接続溝部７ａ５および導入溝部７ｂ４を形成することによって、第１鏡筒１、第２鏡筒２およびシフトユニット３の組み込みを容易にしている。
【００６０】
以上説明した各実施例は代表的な例にすぎず、本発明の実施に際しては、各実施例に対して種々の変形や変更が可能である。
【００６２】
また、上記実施例における第１〜第３のカム溝部の形状は例に過ぎず、他の形状を有するように形成してもよい。また、第１〜第３のカム溝部における収納位置、ＷＩＤＥ端位置およびＴＥＬＥ端位置に形成した平坦部は、必ずしも設ける必要はない。
【００６３】
さらに、レンズ鏡筒の全体的な構成も例に過ぎず、少なくとも回転するカム環を含む他の構成を有するレンズ鏡筒にも本発明を適用することができる。
【産業上の利用可能性】
【００６４】
３つのレンズ保持部材を１つのカム環に設けた３つのカム溝部によって光軸方向に移動させる小型のレンズ装置および撮影装置を提供できる。
【符号の説明】
【００６５】
１  第１鏡筒
２  第２鏡筒
３  シフトユニット
６，２５，２６  カムピン  
７  移動カム環
７ａ，７ｂ，７ｃ  カム溝部
７ｄ  挿入口
７ｍ  分岐位置
７ｂ４  導入溝部
７ａ４  延長溝部
７ａ５  接続溝部
１０  案内筒
１００  カメラ本体
【図１】
0005430270.tif 000002
【図２】
0005430270.tif 000003
【図３】
0005430270.tif 000004
【図４】
0005430270.tif 000005
【図５】
0005430270.tif 000006
【図６】
0005430270.tif 000007
【図７】
0005430270.tif 000008
【図８】
0005430270.tif 000009
【図９】
0005430270.tif 000010
【図１０】
0005430270.tif 000011
【図１１】
0005430270.tif 000012
【図１２】
0005430270.tif 000013